(57)【要約】【課題】非接触センサの誤検知による定着不良，異常画像，ユニット損傷などの不具合の発生を未然に防ぐ。【解決手段】サーモパイル８および接触型サーミスタ９から定着ローラ１の温度検知情報をＣＰＵ３１に出力する。ＣＰＵ３１では、サーモパイル８の検知温度と接触型サーミスタ９の検知温度とを比較することにより、サーモパイル８の検知異常を監視しており、サーモパイル８にて検知，計測された温度と、接触型サーミスタ９にて検知，計測された温度の差分を演算し、その値が、あらかじめ設定された一定値（±１０℃）を超えた場合に、サーモパイル８が異常状態にあると判断する。【選択図】図４
2007034016.tif 000002
【特許請求の範囲】
【請求項１】
加熱源を備えた加熱回転体と、該加熱回転体に圧接する圧接回転体とを備え、前記加熱回転体と前記圧接回転体とのニップ内に転写紙を通過させることにより、該転写紙上に未定着画像を定着させる定着装置において、
前記加熱回転体の温度を検知する少なくとも二つの温度センサを備え、該温度センサの少なくとも一つを非接触型温度センサとし、該非接触型温度センサの検知温度を他の温度センサの検知温度に基づいて監視し、異常発生時に加熱駆動および回転駆動を停止させる制御部を備えたことを特徴とする定着装置。
【請求項２】
少なくとも二つ以上の回転体にて張架された耐熱性の無端ベルトと、該無端ベルトを挟んで前記回転体の少なくとも一つに圧接する少なくとも一つの圧接体と、前記無端ベルトを加熱する加熱源を備え、前記無端ベルトと前記圧接体とのニップ内に転写紙を通過させることにより、該転写紙上に未定着画像を定着させる定着装置において、
前記無端ベルトの温度を検知する少なくとも二つの温度センサを備え、その少なくとも一つを非接触型温度センサとし、該非接触型温度センサの検知温度を他の温度センサの検知温度に基づいて監視し、異常発生時に加熱駆動および回転駆動を停止させる制御部を備えたことを特徴とする定着装置。
【請求項３】
少なくとも二つ以上の回転体にて張架された耐熱性の無端ベルトと、該無端ベルトを挟んで前記回転体の少なくとも一つと圧接する少なくとも一つの圧接体と、前記無端ベルトを加熱する加熱源とを備え、前記無端ベルトと前記圧接体とのニップ内に転写紙を通過させることにより、該転写紙上に未定着画像を定着させる定着装置において、
少なくとも二つの加熱体を前記加熱源に備えると共に、少なくとも二つの温度センサを備え、該温度センサにより前記無端ベルトの温度を検知し、該温度センサのうち少なくとも二つの温度センサを非接触型温度センサとして、互いに他の非接触型温度センサの検知温度を監視可能に構成し、前記各温度センサの検知温度に基づいて前記加熱体のそれぞれを温度制御し、かつ前記非接触型温度センサの監視検知温度に基づいて、いずれか一方に異常が発生したことを検知したときに加熱駆動および回転駆動を停止させる制御部を備えたことを特徴とする定着装置。
【請求項４】
前記非接触型温度センサ以外の温度センサが接触型温度センサであることを特徴とする請求項１〜３いずれか１項記載の定着装置。
【請求項５】
前記接触型温度センサを前記転写紙の通紙範囲外に設置したことを特徴とする請求項４記載の定着装置。
【請求項６】
前記制御部が、前記加熱源の加熱停止と同時に全ての駆動系を停止することを特徴とする請求項１〜３いずれか１項記載の定着装置。
【請求項７】
前記制御部が、前記停止と同時に異常報知情報信号を出力することを特徴とする請求項１〜３いずれか１項記載の定着装置。
【請求項８】
画像形成部において画像転写が行われた転写紙に対して加熱と加圧とを行い、未定着画像を前記転写紙に定着するため、加熱源と、該加熱源にて過熱される加熱回転体と、該加熱回転体に圧接する圧接回転体とを備え、前記加熱回転体と前記圧接回転体とのニップ内に前記転写紙を通過させる構成の定着装置を備えた画像形成装置において、
前記定着装置として請求項１〜７いずれか１項記載の定着装置を搭載したことを特徴とする画像形成装置。
【請求項９】
加熱源の駆動停止と同時に、当該装置に設置された機械系の駆動を停止させる駆動制御部を備えたことを特徴とする請求項８記載の画像形成装置。
【請求項１０】
前記停止と同時に、装置本体外部に設けられた報知部に対して停止状態の旨の報知を行わせる制御部を備えたことを特徴とする請求項８または９記載の画像形成装置。
【発明の詳細な説明】
【技術分野】
【０００１】
本発明は、加熱回転体と圧接回転体とにより転写紙上に未定着画像を定着させる定着装置、および、その定着装置を搭載する画像形成装置に関するものである。
【背景技術】
【０００２】
図１７は従来の定着装置の概略構成図、図１８は図１７の定着装置における定着ローラと温度センサとの関係を示す説明図であり、１は加熱源である加熱ヒータ２を内蔵した定着ローラ、３は定着ローラ１に圧接する加圧ローラであって、加圧ローラ３の表面硬度は３０Ｈｓ、定着ローラ１の表面硬度は４０Ｈｓ程度であり、この硬度は、定着ローラ１と加圧ローラ３において必要とされるニップ幅などにより異なる。また、定着ローラ１内に配設される加熱ヒータ２としては、例えば、ハロゲンヒータなどの赤外線ヒータが採用される。
【０００３】
また、４と５は定着ローラ１と加圧ローラ３とのニップ部に転写紙Ｐを導入ガイドする入口ガイド板と出口ガイド板、６は定着ローラ１から転写紙Ｐを剥ぎ取るように作用する分離板である。
【０００４】
図１７において、未定着のトナー像が転写されて入口ガイド板４に搬送されてきた転写紙Ｐは、回転している定着ローラ１と加圧ローラ３とにおけるニップ部において加熱・加圧を受けることにより、未定着のトナー像が転写紙Ｐに定着し、出口ガイド板５へ送られる。
【０００５】
定着ローラ１に設けられた加熱ヒータ２のヒータ制御のために、温度センサ７が定着ローラ１の表面温度検知用に配設されている。
【０００６】
温度センサ７は定着ローラ１に接触しているため、温度センサ７による定着ローラ１上に生じる傷、あるいは温度センサ７に溜まるトナー，紙紛などにより、経時的に転写紙上Ｐに形成される画像に異常画像を生じさせ、最悪の場合、トナーの固着によって、定着ローラ１への転写紙巻き付きが発生することがある。
【０００７】
このような不具合を解消するために、温度センサに非接触型温度センサが用いられる。非接触型温度センサとしては、熱電対であるサーモパイルや、ＮＣセンサ，サーミスタタイプなどが用いられている。しかし、非接触型温度センサは、トナー，紙紛などによる汚れや気流の影響を受けやすく、これに対応するため特許文献１，２などのように、種々の提案がなされ実施されている。
【特許文献１】特開２００４−４５３３０号公報
【特許文献２】特開２００５−２４４３６号公報
【発明の開示】
【発明が解決しようとする課題】
【０００８】
前記のようにトナー，紙紛などによる汚れや気流の影響を受けやすい非接触型温度センサに対して、ワイパーの追加、気流調整などによって対応しているが、センサの誤検知が生じた際の安全対策としては、サーモスタット，温度ヒューズなどの加熱ヒータへの供給電力を遮断する方法のみが採用されていた。
【０００９】
しかし、この電力遮断方法では、定着不良，異常画像の発生につながりやすく、最悪の場合にはユニット損傷にまで至る可能性があった。
【００１０】
本発明の目的は、前記従来の課題を解消し、非接触センサの誤検知による定着不良，異常画像，ユニット損傷などの不具合の発生を未然に防ぐことができ、また異常検出に速やかにオペレータに対して状況把握させることができる定着装置および画像形成装置を提供することにある。
【課題を解決するための手段】
【００１１】
前記目的を達成するため、請求項１に記載の発明は、加熱源を備えた加熱回転体と、該加熱回転体に圧接する圧接回転体とを備え、前記加熱回転体と前記圧接回転体とのニップ内に転写紙を通過させることにより、該転写紙上に未定着画像を定着させる定着装置において、前記加熱回転体の温度を検知する少なくとも二つの温度センサを備え、該温度センサの少なくとも一つを非接触型温度センサとし、該非接触型温度センサの検知温度を他の温度センサの検知温度に基づいて監視し、異常発生時に加熱駆動および回転駆動を停止させる制御部を備えたことを特徴とする。
【００１２】
請求項２に記載の発明は、少なくとも二つ以上の回転体にて張架された耐熱性の無端ベルトと、該無端ベルトを挟んで前記回転体の少なくとも一つに圧接する少なくとも一つの圧接体と、前記無端ベルトを加熱する加熱源を備え、前記無端ベルトと前記圧接体とのニップ内に転写紙を通過させることにより、該転写紙上に未定着画像を定着させる定着装置において、前記無端ベルトの温度を検知する少なくとも二つの温度センサを備え、その少なくとも一つを非接触型温度センサとし、該非接触型温度センサの検知温度を他の温度センサの検知温度に基づいて監視し、異常発生時に加熱駆動および回転駆動を停止させる制御部を備えたことを特徴とする。
【００１３】
請求項３に記載の発明は、少なくとも二つ以上の回転体にて張架された耐熱性の無端ベルトと、該無端ベルトを挟んで前記回転体の少なくとも一つと圧接する少なくとも一つの圧接体と、前記無端ベルトを加熱する加熱源とを備え、前記無端ベルトと前記圧接体とのニップ内に転写紙を通過させることにより、該転写紙上に未定着画像を定着させる定着装置において、少なくとも二つの加熱体を前記加熱源に備えると共に、少なくとも二つの温度センサを備え、該温度センサにより前記無端ベルトの温度を検知し、該温度センサのうち少なくとも二つの温度センサを非接触型温度センサとして、互いに他の非接触型温度センサの検知温度を監視可能に構成し、前記各温度センサの検知温度に基づいて前記加熱体のそれぞれを温度制御し、かつ前記非接触型温度センサの監視検知温度に基づいて、いずれか一方に異常が発生したことを検知したときに加熱駆動および回転駆動を停止させる制御部を備えたことを特徴とする。
【００１４】
前記構成の本発明に係る定着装置によれば、非接触型温度センサが汚れなどにより温度誤検知を起こした際にも、他の温度センサにより監視しているため、適正な定着動作が行われ、定着不良，異常画像の発生を防ぐことができ、ひいてはユニット損傷を未然に防ぐことができる。
【００１５】
請求項４に記載の発明は、請求項１〜３いずれか１項記載の定着装置において、非接触型温度センサ以外の温度センサが接触型温度センサであることを特徴とし、この構成によって、接触型温度センサにより加熱源を有す加熱回転体の温度を確実に検出することができるため、非接触型温度センサの検知異常に対し、確実に加熱駆動および回転駆動の制御を行うことができる。
【００１６】
請求項５に記載の発明は、請求項４記載の定着装置において、接触型温度センサを転写紙の通紙範囲外に設置したことを特徴とし、この構成によって、機構の追加なく、また通紙範囲内の温度検知対象物に傷を付けることなく、温度検知を確実に行うことができるため、コストアップなく非接触型温度センサの検知異常に前記のような対応をすることができる。
【００１７】
請求項６に記載の発明は、請求項１〜３いずれか１項記載の定着装置において、制御部が、加熱源の加熱停止と同時に全ての駆動系を停止することを特徴とし、この構成によって、異常発生と同時に全ての駆動を停止することにより、未定着画像を有する転写紙が搬送路途中で詰まったり、未定着画像が飛散したりする不具合の発生を防ぐことができる。
【００１８】
請求項７に記載の発明は、請求項１〜３いずれか１項記載の定着装置において、停止と同時に異常報知情報信号を出力することを特徴とし、この構成によって、異常発生，停止状態であることの情報信号を出力することができることにより、例えば、オペレータなどに報知にすることによって、定着系のダウン時間を低減することが可能になる。
【００１９】
請求項８に記載の発明は、画像形成部において画像転写が行われた転写紙に対して加熱と加圧とを行い、未定着画像を前記転写紙に定着するため、加熱源と、該加熱源により加熱される加熱回転体と、該加熱回転体に圧接する圧接回転体とを備え、前記加熱回転体と前記圧接回転体とのニップ内に前記転写紙を通過させる構成の定着装置を備えた画像形成装置において、前記定着装置として請求項１〜７いずれか１項記載の定着装置を搭載したことを特徴とし、この構成によって、定着装置における非接触型温度センサが汚れなどにより温度誤検知を起こした際にも、他の温度センサにより監視するため、適正な定着動作が行われ、定着不良，異常画像の発生を防ぐことができる。
【００２０】
請求項９に記載の発明は、請求項８記載の画像形成装置において、加熱源の駆動停止と同時に、当該装置に設置された機械系の駆動を停止させる駆動制御部を備えたことを特徴とし、この構成によって、異常発生と同時に全ての機械系の駆動を停止することにより、画像形成部において、未定着画像を有する転写紙が搬送路途中で詰まったり、未定着画像が飛散したりする不具合の発生を防ぐことができる。
【００２１】
請求項１０に記載の発明は、請求項８または９記載の画像形成装置において、前記停止と同時に、装置本体外部に設けられた報知部に対して停止状態の旨の報知を行わせる制御部を備えたことを特徴とし、この構成によって、機械異常状態であることをオペレータに速やかに報知することができるため、機械ダウン時間を低減することができる。
【発明の効果】
【００２２】
本発明によれば、非接触型温度センサが汚れなどにより温度誤検知を起こした際にも、他の温度センサにより監視しているため、適正な定着動作が行われ、定着不良，異常画像の発生を防ぐことができ、ひいてはユニット損傷を未然に防ぐことができ、また、異常検出に速やかにオペレータに対して状況把握させることができる等、実際的な効果の大きい定着装置および画像形成装置を提供することができる。
【発明を実施するための最良の形態】
【００２３】
以下、本発明の実施の形態を図面を参照して説明する。
【００２４】
図１は本発明の実施形態を説明するための画像形成装置の全体構成を示す概略構成図であり、１１は画像形成装置の装置本体、１２は転写紙Ｐを収納する給紙トレイ、１３は転写紙Ｐを手差し給紙するための手差しトレイ、１４は画像形成部、１５は定着装置、１６は排紙トレイである。
【００２５】
画像形成部１４において、２１は感光体ベルト、２２は感光体ベルト２１の表面を露光して潜像を形成する露光部、２３，２４，２５，２６はブラック，シアン，マゼンタ，イエローの各色に対応するトナーにて前記潜像を顕像化する現像部、２７はトナー顕像を転写紙Ｐに転写する転写部である。
【００２６】
転写紙Ｐは、給紙トレイ１２あるいは手差しトレイ１３から給紙されて搬送ローラ２８により転写部２７へ送られ、感光体ベルト２１に形成されたトナー像が転写部２７にて転写紙Ｐに転写される。未定着画像のトナー像を有する印写紙Ｐは、定着装置１５にて、後述するように加熱・加圧を受けて画像定着がなされた後、排紙ローラ２９により排紙トレイ１６に排出される。
【００２７】
図２は本発明に係る図１の定着装置の実施形態１を拡大して示す構成図であり、１は加熱源である加熱ヒータ２を内蔵した加熱回転体である定着ローラ、３は定着ローラ１に圧接する圧接回転体である加圧ローラ、４と５は定着ローラ１と加圧ローラ３とのニップ部に転写紙Ｐを導入ガイドする入口ガイド板と出口ガイド板、６は定着ローラ１から転写紙Ｐを剥ぎ取るように作用する分離板である。
【００２８】
実施形態１では、定着ローラ１に設けられた加熱ヒータ２の温度制御のために少なくとも二つの温度センサが設置されている。本例では、図３に示すように、定着ローラ１の中央部分に非接触型温度センサであるサーモパイル８を設置し、その横に接触型温度センサであるサーミスタ９を設置している。この接触型サーミスタ９は、転写紙Ｐの通紙時には定着ローラ１に接触しておらず、定着ローラ１の非通紙時（非回転時）にのみ当接するように、図示しない当接・離間機構（例えばソレノイド装置など）により移動可能になっている。
【００２９】
図２において、転写部２７にてトナー像が転写されて入口ガイド板４に搬送されてきた未定着トナー像を有する転写紙Ｐは、回転している定着ローラ１と加圧ローラ３とにおけるニップ部において加熱・加圧を受けることにより、未定着のトナー像が転写紙Ｐに定着し、出口ガイド板５を経て図１に示す排紙ローラ２９へ送られ、排紙トレイ１６に排出される。
【００３０】
図４は本実施形態における定着制御系の構成を示すブロック図であり、サーモパイル８と接触型サーミスタ９からの温度検知情報を、制御部であるＣＰＵ（中央演算処理ユニット）３１が受け、ＣＰＵ３１が、異常検知の判断を行い、加熱ヒータ２のオン・オフを行うヒータ駆動部３２と、定着装置１５および画像形成装置における機械系を駆動する機械系駆動部３３とに対して駆動制御信号を出力し、さらに異常検知と判断したときに、画像形成装置の装置本体外部に設けられた操作パネルなどの表示部あるいは報知ブザーなどを駆動する報知駆動部３４に報知制御信号を出力する構成になっている。
【００３１】
図５は本実施形態の定着制御に係るフローチャートであり、画像形成装置のメインスイッチがオンされ、定着装置１５が始動すると、サーモパイル８と接触型サーミスタ９からの定着ローラ１の温度検知情報がＣＰＵ３１に出力される（Ｓ１）。ＣＰＵ３１では、サーモパイル８の検知温度と接触型サーミスタ９の検知温度とを比較することにより、サーモパイル８の検知異常を監視している（Ｓ２）。
【００３２】
すなわち、図６に示す温度センサ（サーモパイル）の異常判定例の説明図のように、サーモパイル８にて検知，計測された温度と、接触型サーミスタ９にて検知，計測された温度の差分を演算し、その値がある一定値（±１０℃）を超えた場合（図６における斜線の領域）に、サーモパイル８が異常状態にあると判断する。
【００３３】
そして、サーモパイル８が異常状態にあると判断された場合には（Ｓ３のＮＯ）、ヒータ駆動部３２と機械系駆動部３３に対して、全ての加熱ヒータ２をオフにし、かつ搬送系，ローラ回転機構などの機械系の駆動を停止させる駆動停止信号を出力する（Ｓ４）。さらに報知駆動部３４に対して駆動信号を出力して（Ｓ５）、表示部あるいは報知ブザーなどをオンにし、オペレータなどに異常状態にあることを知らせるようにする。
【００３４】
サーモパイル８が正常であると判断された場合には（Ｓ３のＹＥＳ）、そのまま定着装置１５は動作を続け（Ｓ６）、所定の定着動作が終了するまで（Ｓ７）、前記のような温度センサの監視が行われる。
【００３５】
これにより実施形態１では、定着不良，異常画像，ユニット損傷などの不具合を生じる前に、非接触温度センサ（サーモパイル）の誤検知を未然に防ぐことができる。
【００３６】
図７は本発明の実施形態２における定着装置の構成図である。なお、以下の説明において、既に説明した部材に対応する部材には同一符号を付して詳しい説明は省略する。
【００３７】
実施形態２では、加熱源であるハロゲンヒータ３５を内蔵した加熱ローラ３６と定着ローラ１との一対の回転体間に、耐熱性を有する材料からなる無端状の定着ベルト３７を架設している。なお、図７中の３８は、定着ベルト３７に張力を与えるテンションローラである。
【００３８】
本例では加圧ローラ３の表面硬度を７０Ｈｓ、定着ローラ１の表面硬度を３０Ｈｓとし、加熱ローラ３６をハロゲンヒータ３５にて加熱し、その熱を定着ベルト３７を介して、加圧ローラ３とのニップ部に伝える構成になっている。
【００３９】
また、図８に示すように、加熱ローラ３６（定着ベルト３７）の中央部分に非接触型温度センサであるサーモパイル８を設置し、その横に接触型サーミスタ９を設置している。この接触型サーミスタ９は、転写紙Ｐの通紙時には定着ベルト３７に接触しておらず、定着ローラ１，定着ベルト３７の非回転時にのみに、定着ベルト３７に当接するように、当接・離間機構を具備している。
【００４０】
実施形態２の温度センサにおける異常判定は実施形態１と同様に、サーモパイル８にて計測された温度と接触型サーミスタ９にて計測された温度の差分を演算し、その値がある一定値を超えた場合に、サーモパイル８に異常があると判断する。
【００４１】
なお、図９に示す本発明の実施形態３における定着装置の温度センサの設置構成図のように、定着ローラ１あるいは加熱ローラ３６における転写紙Ｐの使用可能な最大サイズのものが通紙する幅（長手方向）外の領域Ａに、前記接触型サーミスタ９を配置することにより、接触型サーミスタ９の接触によって定着ローラ１あるいは加熱ローラ３６における通紙領域を傷付けるなどの不具合の発生を防ぐことができる。
【００４２】
図１０（ａ），（ｂ）は実施形態３における温度センサ（サーモパイル）の異常判定例を示す説明図であり、図１０（ａ）に示す転写紙Ｐの通紙時と、図１０（ｂ）に示す非通紙時とで判定基準を分けており、サーモパイル８にて検知，計測された温度と、接触型サーミスタ９にて検知，計測された温度の差分を演算し、その値が前記判定基準値を超えた場合（図１０（ａ），（ｂ）における斜線の領域）に、サーモパイル８が異常状態にあると判断する。
【００４３】
図１１は本発明の実施形態４における定着装置の構成図であり、図７に示す実施形態２の構成とは、温度センサとして接触型サーミスタ９をなくし、非接触型温度センサ（例えばサーモパイル，非接触型サーミスタ，ＮＣセンサなど）のみを用い、非接触型温度センサ４１ａ，４１ｂを、図１２に示すように、使用される転写紙Ｐの最大通紙サイズより内側に、その中央部に中央温度センサ（例えばサーモパイル）４１ａ、端部付近に端部温度センサ（例えば非接触型サーミスタ）４１ｂを、それぞれ少なくとも一つ（図では一つずつ示している）を配設している点と、少なくとも二本（図では一本ずつ示している）の加熱ヒータ２ａ，２ｂを配設している点が異なる。
【００４４】
加熱ヒータ２ａ，２ｂは加熱分布が異なり、図１３に示すように、加熱ローラ３６の中央のみ加熱する中央用ヒータ２ａと、端部のみ加熱する端部用ヒータ２ｂとによって構成される。
【００４５】
実施形態４では、非接触型温度センサ４１ａ，４１ｂは互いに他の温度センサの温度監視を行う。さらに、立ち上がり時および待機時には、中央または端部の温度センサが所定温度に達した後に、他方の温度センサが所定温度に一定時間内に達し得ない場合に異常であると判断する。
【００４６】
図１４（ａ），（ｂ），（ｃ）は実施形態４における温度センサの異常判定例を示す説明図であり、図１４（ａ）は立ち上がり時、図１４（ｂ）は待機時、図１４（ｃ）は通紙時の判定基準であって、各非接触型温度センサ４１ａ，４１ｂにて、それぞれ検知，計測された温度の差分を演算し、その値が前記判定基準値を超えた場合（図１４（ａ）〜（ｃ）における斜線の領域）に、該当する温度センサが異常状態にあると判断する。
【００４７】
通紙時では、図１４（ｃ）に示すように、紙サイズにより異常判定設定値が異なる。すなわち、端部温度センサ４１ｂのセンサ位置よりも転写紙端部が外側にくる場合には、中央温度センサ４１ａと端部温度センサ４１ｂとの温度差異が一定温度域内（イ）にない場合に異常と判断し、また、端部温度センサ４１ｂのセンサ位置よりも転写紙端部が内側にくる場合には、温度センサ４１ａと端部温度センサ４１ｂとの温度差異が一定温度域内（ロ）にない場合に異常と判断する。
【００４８】
図１５は本実施形態の図５に示す動作フローのステップ（Ｓ４），（Ｓ５）における各部の具体的動作のタイミングチャートであり、加熱ヒータ２，２ａ，２ｂの異常検知によるヒータオフと同時に、駆動している全ての機械系（定着装置の各ローラ，排紙ローラ，画像形成部の各部，給紙／搬送ローラ）の駆動を停止することにより、未定着画像を乗せた転写紙Ｐが定着装置１５前にて詰まったり、また未定着画像が飛散する等による機械系のダメージを防ぐことができる。
【００４９】
また、図１６に示すように、加熱ヒータ２，２ａ，２ｂの異常検知時のヒータオフと同時に、操作パネル上の表示部あるいは報知ブザーなどをオンにして、サービスコールの報知を行い、オペレータに対して状態把握させ、速やかに対応処理を行わせることにより、機械ダウン時間を低減することが可能になる。
【産業上の利用可能性】
【００５０】
本発明は、レーザプリンタ，複写機，ファクシミリ装置などの画像形成装置における定着装置に用いられる熱ローラ方式およびベルト定着方式などの加熱加圧定着部に適用され、特に温度センサ異常時における装置強制停止機能を備えた加熱加圧定着部，および、それを搭載する画像形成装置に用いて有効である。
【図面の簡単な説明】
【００５１】
【図１】本発明の実施形態を説明するための画像形成装置の全体構成を示す概略構成図
【図２】本発明に係る定着装置の実施形態１の構成図
【図３】実施形態１における温度センサの設置構成図
【図４】本実施形態における定着制御系の構成を示すブロック図
【図５】本実施形態の定着制御に係るフローチャート
【図６】実施形態１における温度センサの異常判定例の説明図
【図７】本発明の実施形態２における定着装置の構成図
【図８】実施形態２における温度センサの設置構成図
【図９】本発明の実施形態３における定着装置の温度センサの設置構成図
【図１０】（ａ），（ｂ）は実施形態３における温度センサの異常判定例を示す説明図
【図１１】本発明の実施形態４における定着装置の構成図
【図１２】実施形態４における温度センサの設置構成図
【図１３】実施形態４における加熱ヒータの構成図
【図１４】（ａ）〜（ｃ）は実施形態４における温度センサの異常判定例を示す説明図
【図１５】本実施形態の動作フローにおける具体的動作のタイミングチャート
【図１６】本実施形態の動作フローにおける具体的動作の他のタイミングチャート
【図１７】従来の定着装置の概略構成図
【図１８】図１７の定着装置における定着ローラと温度センサとの関係を示す説明図
【符号の説明】
【００５２】
１  定着ローラ
２  加熱ヒータ
２ａ  加熱ヒータ（中央用ヒータ）
２ｂ  加熱ヒータ（端部用ヒータ）
３  加圧ローラ
８  サーモパイル
９  サーミスタ
１４  画像形成部
１５  定着装置
２７  転写部
３１  ＣＰＵ
３２  ヒータ駆動部
３３  機械系駆動部
３４  報知駆動部
３６  加熱ローラ
３７  定着ベルト
４１ａ  非接触型温度センサ（中央温度センサ）
４１ｂ  非接触型温度センサ（端部温度センサ）
【図１】
2007034016.tif 000003
【図２】
2007034016.tif 000004
【図３】
2007034016.tif 000005
【図４】
2007034016.tif 000006
【図５】
2007034016.tif 000007
【図６】
2007034016.tif 000008
【図７】
2007034016.tif 000009
【図８】
2007034016.tif 000010
【図９】
2007034016.tif 000011
【図１０】
2007034016.tif 000012
【図１１】
2007034016.tif 000013
【図１２】
2007034016.tif 000014
【図１３】
2007034016.tif 000015
【図１４】
2007034016.tif 000016
【図１５】
2007034016.tif 000017
【図１６】
2007034016.tif 000018
【図１７】
2007034016.tif 000019
【図１８】
2007034016.tif 000020